(57)【特許請求の範囲】
【請求項１】
メダル遊技機本体内にリールユニット、これの制御ボックス、電源ボックス及びこれらに附帯する機器を収納し、前記メダル遊技機本体に並列するカード対応のメダル貸機内にメダル払出機能を有するメダルホッパーを設けてなり、該メダルホッパーから前記メダル遊技機本体にメダルを払い出し、大当りした場合においても、前記メダルホッパーから直接メダル受皿にメダルが払い出されることを特徴とするカード対応メダル遊技機。
【請求項２】
前記カード対応のメダル貸機は貸機本体内の下部にカードユニットを設け、このカードユニット内に使用ずみカードを自動的に回収するためのカード収納ケースを有することを特徴とする請求項１記載のカード対応メダル遊技機。
【発明の詳細な説明】
【０００１】
【産業上の利用分野】
本発明は、現金にてカードを買い、このカードを使用して遊技をすることができるカード対応メダル遊技機に関する。
【０００２】
【従来の技術】
従来、この種のメダル遊技機は、客が店内に入り、メダル遊技機列の端に設置されているメダル貸機に現金を投入してメダルを借り、このメダルを投入して遊技を行なうようになっている。そして、客が遊技を続けてメダルが無くなると、今度はメダル遊技機間に設置されている台間メダル貸機に現金を投入してメダルを借り、客はこのメダルをメダル遊技機に投入して遊技を続行していた。一方、店側は、設置してあるメダル遊技機が客からあきられ、売上が減少する等のきざしが現われると、メダル遊技機を丸ごと入替えを行なうことで対応していた。
【０００３】
【発明が解決しようとする課題】
しかしながら、上述した従来のメダル遊技機と台間メダル貸機とのシステムでは、店側にとってメダル遊技機が客にあきられたからといって、丸ごと入替えなければならないことは経営的に重大な負担であり、更に、メダル遊技機自体の重量もかなり重く、既設置のメダル遊技機を撤去する前にメダルホッパー内にあるメダルを全て抜き取る必要があり、この抜き取りに長時間かかり、そのあと設置場所から撤去し、店内から搬出し、運搬し、廃棄するまでの一連の作業が厄介である。加えて、新規メダル遊技機の運搬、店内への搬入、据付けの一連の作業もその重量ゆえ厄介であり、今度は新規メダル遊技機のメダルホッパー内に所定量（通常約2000枚）のメダルを入れる作業もある。従って、メダル遊技機の入替は、その作業時間が長時間にわたり、入替日数が長くかかり、結果的に店の営業日数が減ってしまうことになる。
【０００４】
また、遊技中にメダルが無くなると、客は、台間メダル貸機に現金を入れメダルを払出口から受け取り、そのメダルをメダル遊技機のメダル受皿に入れ、そのメダル受皿からメダルを必要数枚取り出してメダル遊技機に投入する必要があり、客にとって遊技途中であるゆえに煩わしいものである。
【０００５】
そこで、本発明は、上記事情に鑑みてなされたもので、店側にとっては新規メダル遊技機を簡素化して低価格とし、軽量化を図ることで入替えを容易とし、メダルの抜き取り新規詰め込みを必要なくし、入替え作業期間を短縮して営業日数を確保し、客側にとってもメダルを容易に借りることができるようにしたカード対応メダル遊技機を提供することを課題とする。
【０００６】
【課題を解決するための手段】
上記課題を解決するため、本発明のカード対応メダル遊技機は、メダル遊技機本体内にリールユニット、これの制御ボックス、電源ボックス及びこれらに附帯する機器を収納し、前記メダル遊技機本体に並列するカード対応のメダル貸機内にメダル払出機能を有するメダルホッパーを設けてなり、該メダルホッパーから前記メダル遊技機本体にメダルを払い出し、大当りした場合においても、前記メダルホッパーから直接メダル受皿にメダルが払い出されるものであり、
また、前記カード対応のメダル貸機は貸機本体内の下部にカードユニットを設け、このカードユニット内に使用ずみカードを自動的に回収するためのカード収納ケースを有するものである。
【０００７】
【作用】
上記構成になるカード対応メダル遊技機によれば、入替時はメダル遊技機本体内にメダルホッパーがないからメダルを抜き取ることなく、設置場所から取り外し店外に搬出し、その設置場所に新規のカード対応メダル遊技機を据付けることで、入替を終了することができ、遊技時はメダルの払出信号を受けてカード対応のメダル貸機内にあるメダルホッパーからメダル遊技機本体にメダルを払い出す。
【０００８】
そして、カード対応のメダル貸機は使用ずみカードを回収してカード収納ケース内に収納する。
【０００９】
【実施例】
以下、本発明の実施例を添付図面に基づいて詳述する。
図１は本発明のカード対応メダル遊技機を示す正面図、図２は本発明のカード対応メダル遊技機を分解した状態を示す斜視図である。両図において、１はカード対応メダル遊技機を示し、このカード対応メダル遊技機１は、メダル遊技機本体２内にリールユニット３、これの制御ボックス４、電源ボックス５及びこれらに附帯する機器を収納し、メダル遊技機本体２に並列するカード対応のメダル貸機６内にメダル払出機能を有するメダルホッパー７を設けてなり、メダルホッパー７からメダル遊技機本体２にてメダル８を払い出すものである。
【００１０】
前記メダル遊技機本体２は、箱体10に扉11を開閉可能に取り付け、この箱体10内に前記リールユニット３、前記制御ボックス４及び電源ボックス５等が収納されて、従来例のようにメダル払出機能のあるメダルホッパーを有していないものである。
【００１１】
このリールユニット３は、支持台12に複数基、通常３基の回転体13を回転自在に支持し、これら３基の回転体13をそれぞれ回転させるための３基の駆動モータ（図示せず）を有し、この回転体13はリール14に絵柄の入ったシート15を巻き付けてなる。このシート15の絵柄は、扉11に設けた窓16から覗けるようになっている。
【００１２】
この扉11には上記の窓16以外にメダル８の投入口18が設けられ、更に回転体13を回転させるためのゲームスタートボタン19、３基の回転体13をそれぞれ停止させるための３個のゲームストップボタン20、メダル８の掛け数を決めるメダルセレクトボタン21、最大50枚までメダル８を予め投入できるメダルクレジットボタン22、投入メダル数を表示するメダル数表示画面23、更にメダル８を遊技するために一時的に置くためのメダル受皿24が設けられている。
【００１３】
前記制御ボックス４は、上記各種ボタン19、20、21、22、メダル数表示画面23及び前記投入口18に近在するメダルカウンター（図示せず）等に電気的に接続して、全体としてメダル遊技機本体２内での遊技機能を制御している。
【００１４】
前記メダル貸機６は、カード対応のもので、貸機本体30内上部にカード25を読み込みかつ入力信号に基づきメダル８の払出信号を発信するカードユニット31を設け、このカードユニット31の下方の貸機本体30内に前記メダルホッパー７を設けている。このカードユニット31は、カード25をリーダ・ライタする機能を有して、前面にカード挿入口33を設け、更に、そのカード25の金額表示画面34を有している。
【００１５】
また、前記メダルホッパー７は、従来のメダル遊技機内に設置されていたメダルホッパーと、従来の台間メダル貸機内に設置されていたメダルホッパーと、の双方の機能を持ち合せるものである。すなわち、このメダルホッパー７は、カードユニット31からのメダル８の払出信号に基づき、メダルホッパー７下部からメダル８を払い出すものである。この払い出されたメダル８は、ホッパーシュート35からメダル遊技機本体２内のメダルシュート36に受け渡されて、前記メダル受皿24に直接払い出される。
【００１６】
なお、遊技をするために前記投入口18から投入されたメダル８は、回収器具37を通って下部のメダル回収通路に落ちる。逆に、メダルホッパー７からメダル８が多く払い出されて、メダルホッパー７内のメダル８の貯留量が所定量以下になると、上方にあるメダル補給口38からメダルホッパー７内にメダル８の不足分を補給される。従って、このカード対応のメダル貸機６は、常時メダルホッパー７内にメダル８が一定量貯留されることになる。また、扉11のメダル受皿24のとなりには灰皿39が設置されている。
【００１７】
次に上記構成になるカード対応メダル遊技機１の利用方法について述べる。
カード対応メダル遊技機１を入替する場合、メダル遊技機本体２内にメダルホッパー７がないからメダル８を抜き取ることなく、ボルトナット等を外し設置場所からカード対応メダル遊技機１を取り外す。メダルホッパー７がない分軽量となるから、容易に店外搬出、運搬、廃棄することができる。一方遊技する場合、新規のカード対応メダル遊技機１を運搬し店内に搬入して、設置場所にボルトナット等により取り付けるだけで良い。このあと、客はメダル貸機６のカード挿入口33からカード25を挿入し、借りるメダル数を指定すると、メダル貸機６のカードユニット31からメダル８の払出信号がメダルホッパー７に出され、このメダルホッパー７からホッパーシュート35、メダルシュート36を通過してメダル受皿24に直接メダル８が払い出される。客は投入口18にメダル８を投入して遊技を行なう。投入されたメダル８は、回収器具37を通って下部のメダル回収通路に落ちる。大当りした場合の払出信号により、メダルホッパー７からホッパーシュート35、メダルシュート36を通過して直接メダル受皿24にメダル８が払い出され、メダルホッパー７内のメダル８が所定量以外になると、上部のメダル補給通路からメダル補給口38を通過してメダル８が補給され、この間メダル８は循環することになる。
【００１８】
図３、４は本発明の他の実施例を示すもので、このカード対応メダル遊技機１ａと、図１、２に示す実施例との相違点は、貸機本体30内上部にメダルホッパー７ａを、下部にカードユニット31ａをそれぞれ設け、このカードユニット31ａ内に使用ずみのカード25を自動的に回収するためのカード収納ケース40を設けた点にある。これにより、使用ずみカード25が店内に散乱して汚すことがなくなるというメリットがある。その他の構成・作用については、図１、２の実施例と同様なので、図面に符号を付してその説明を省略する。
【００１９】
【発明の効果】
以上詳述したように、本発明のカード対応メダル遊技機によれば、入替時はメダル遊技機本体内にメダルホッパーがないからメダルを抜き取ることなく、設置場所から取り外し店外に搬出し、その設置場所に新規のカード対応メダル遊技機を据付けることで、入替を終了することができ、遊技時はメダルの払出信号を受けてカード対応のメダル貸機内にあるメダルホッパーからメダル遊技機本体にメダルを払い出すことができる。従って、メダルホッパーのないカード対応メダル遊技機を入替えするから、その分機器費用を低価格にすることが可能になる。また、軽量となるから、撤去、搬出、運搬、廃棄が容易となり、新規カード対応メダル遊技機の運搬、搬入、据付もその分容易となり、更にメダルの抜き取り、新規メダル遊技機へ所定量のメダルを詰め込む作業も必要なくなり、全体として入替のための作業期間を短縮でき、営業日数を従来の場合より長くすることができる。更に、客にとってもカードさえあれば、メダルを直接カード対応メダル遊技機に払い出すことができて、遊技の続行をきわめて容易にすることができる等の効果がある。
【００２０】
そして、カードユニットは使用ずみカードを回収して収納ケース内に収納することができる。従って、使用ずみカードにより店内を汚すことがない。
【図面の簡単な説明】
【図１】本発明のカード対応メダル遊技機を示す正面図。
【図２】本発明のカード対応メダル遊技機を分解した状態を示す斜視図。
【図３】本発明の他の実施例を示す図１と同状の正面図。
【図４】本発明の他の実施例を示す図２と同様の斜視図。
【符号の説明】
１、１ａ    カード対応メダル遊技機
２    メダル遊技機本体          ３    リールユニット
４    制御ボックス              ５    電源ボックス
６    メダル貸機                ７、７ａ    メダルホッパー
８    メダル                    40    カード収納ケース
【図１】
0003689793.tif 000002
【図２】
0003689793.tif 000003
【図３】
0003689793.tif 000004
【図４】
0003689793.tif 000005